(57)【特許請求の範囲】
【請求項１】
犬用寝具と同程度の広さのマットと、
前記マット裏面であって、該マット長手方向の中心付近について対称となる各位置にループ状に縫い付けた帯状ロープの、前記マットの短手方向両端からはみ出た部分である持ち手と、
前記マット表面長手方向の両端に設置され、ひっくり返すことで該マット裏面長手方向の両端に配置される袋状機構と、
前記マット短手方向の同じ側に備えられた２つの前記持ち手に装着される肩掛け用ベルトと、を有することを特徴とする動物介護用マット。
【請求項２】
前記肩掛け用ベルトが、前記持ち手に着脱自在に装着されることを特徴とする請求項１に記載の動物介護用マット。
【請求項３】
前記肩掛け用ベルトが、長さ調節が自在であることを特徴とする請求項１又は２に記載の動物介護用マット。
【請求項４】
前記マットが、該マットの撓みを小さくするための補強材として中敷き部材を備えることを特徴とする請求項１乃至３の何れか一に記載の動物介護用マット。
【発明の詳細な説明】
【技術分野】
【０００１】
本発明は、犬や猫などの動物を乗せたまま、一人で持ち運びができる器具に関する。
【背景技術】
【０００２】
老犬と共に生活をする家族にとっては、犬が病気になった時など緊急時の対処が気がかりである。特に、大型犬ともなるとその体重が相当大きいので、犬の足が不自由であれば宅内外の移動手段が問題となる。
一方、犬・猫などの動物介護用手持ち付きマットに関する従来技術として、特許文献１などがある。
【先行技術文献】
【特許文献】
【０００３】
【特許文献１】実用新案登録第３１２０８７５号公報
【発明の概要】
【発明が解決しようとする課題】
【０００４】
しかしながら、上記文献に記載の技術は、介護対象の動物を一人で持ち運びすることができないという問題点がある。
【０００５】
また、犬や猫などの動物を寝具上に寝かせている場合、上記文献に記載されるように厚手のマットである必要が無いばかりか、マットの重さの分だけ持ち運び時の負担が大きくなるという問題点がある。
【０００６】
そこで本発明では、上記問題点に鑑み、日常的に使用している動物用寝具を利用しつつ、介護対象の動物を飼い主などが一人で移動させることができる動物介護用マットを提供することを目的とする。
【課題を解決するための手段】
【０００７】
開示する動物介護用マットの一形態は、開示の動物介護用マットは、犬用寝具と同程度の広さのマットと、前記マット裏面であって、該マット長手方向の中心付近について対称となる各位置にループ状に縫い付けた帯状ロープの、前記マットの短手方向両端からはみ出た部分である持ち手と、前記マット表面長手方向の両端に設置され、ひっくり返すことで該マット裏面長手方向の両端に配置される袋状機構と、前記マット短手方向の同じ側に備えられた２つの前記持ち手に装着される肩掛け用ベルトと、を有することを特徴とする。
【発明の効果】
【０００８】
開示する動物介護用マットは、日常的に使用している動物用寝具を利用しつつ、介護対象の動物を飼い主などが一人で移動させることができる。
【図面の簡単な説明】
【０００９】
【図１】本実施の形態に係る動物介護用マットの表面側平面図である。
【図２】本実施の形態に係る動物介護用マットの裏面側平面図である。
【図３】本実施の形態に係る動物介護用マットの使用状態図（その１）である。
【図４】本実施の形態に係る動物介護用マットの使用状態図（その２）である。
【発明を実施するための形態】
【００１０】
図面を参照しながら、本発明を実施するための形態について説明する。
（本実施の形態に係る動物介護用マットの構造）
【００１１】
図１及び図２を用いて、本実施の形態に係る動物介護用マット１の構造について説明する。図１は、動物介護用マット１の表面側平面図であり、図２は、動物介護用マット１の裏面側平面図である。
【００１２】
図１及び図２で示すように、動物介護用マット１は、マット１０、持ち手２０、袋状機構３０、肩掛け用ベルト４０を有する。マット１０は、犬用寝具と同程度の大きさ（例えば、８８ｃｍ×５６ｃｍ、８０ｃｍ×５３ｃｍなど）であって、ある程度の強度（引っ張り強度）が確保されていれば、例えば、風呂敷のような薄手の布であっても良い。また、マット１０の材質は、特に限定されないが、大型犬など重量が大きい動物を乗せて運ぶ際、破れない程度の強度が必要である。
【００１３】
また、マット１０は、動物介護用マット１上に大型犬など重量が大きい動物を乗せて使用する際の撓みを小さくすることを目的に、マット１０内にやや硬めの中敷き部材を挿入する形態でも良い。なお、中敷き部材の材質は、マット１０の撓みを小さくするという目的を達成する限りにおいて、特に限定されない。
【００１４】
図２で示すように、持ち手２０は、マット１０の裏面であって、長手方向の１／２から振り分け位置に、帯状ロープを並行してループ状に縫い付け、当該ループ状に縫い付けたロープがマット１０よりはみ出した部分で構成される。なお、持ち手２０は、シート１０の短手方向両端の片側に２つずつで合計４つが備えられる。
【００１５】
図１で示すように、袋状機構３０は、マット１０表面の長手方向両端に設置される袋状の機構である。また、袋状機構３０は、マット１０裏面側にひっくり返し、マット１０裏面の長手方向両端に配置させることができる。
【００１６】
図１及び図２で示すように、肩掛け用ベルト４０は、マット１０の短手方向端部の同じ側に配置される２つの持ち手２０に着脱可能に装着される。例えば、肩掛け用ベルト４０は、図１及び図２で示すようにバックル機構によって持ち手２０に着脱可能となる形態であっても良いが、その他の機構によって当該機能が実現されても良い。また、肩掛け用ベルト４０は、長さ調節を可能とする機構を備えていても良い。
（本実施の形態に係る動物介護用マットの使用方法）
【００１７】
図３及び図４を用いて、本実施の形態に係る動物介護用マット１の使用方法について説明する。動物介護用マット１の使用者（以下、単に「使用者」という。）は、動物介護用マット１を床など地面に敷き、マット１０上に、日常的に使用する動物用（例えば、犬用など）寝具５０を配置する（敷く）。なお、図３で示すように、肩掛け用ベルト４０は、通常使用時において邪魔にならないように、持ち手２０から外しておく。また、袋状機構３０は、ひっくり返しマット１０の裏面側に配置させておいても良い。
次に使用者は、マット１０上に敷いた動物用寝具５０の上に、移動対象（介護対象）の動物６０を誘導し休ませる。
【００１８】
図４で示すように、何らかの理由により動物６０を移動させる必要がある場合、使用者は、持ち手２０に肩掛け用ベルト４０を装着し、寝具５０に動物６０を乗せたまま、肩掛け用ベルト４０を自分の肩に掛け、動物介護用マット１ごと動物６０を持ち上げ、そのまま移動させる。
【００１９】
また、図４で示すように、使用者は、マット１０表面に設置される袋状機構３０によって、動物用寝具５０及び動物６０の前方及び後方を覆い、動物介護用マット１上から動物用寝具５０及び動物６０が滑り落ちないようにする。
【００２０】
こうすることで、動物介護用マット１は、飼い主など使用者が一人であっても、日常的に使用する動物用寝具５０を利用しつつ、介護対象の動物６０を自在に移動させることができる。
【００２１】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２２】
１    動物介護用マット
１０  マット
２０  持ち手
３０  袋状機構
４０  肩掛け用ベルト
５０  動物用寝具（犬用寝具）
６０  移動対象の動物（介護対象の犬）
【図１】
0005565972.tif 000002
【図２】
0005565972.tif 000003
【図３】
0005565972.tif 000004
【図４】
0005565972.tif 000005